(57)【要約】【課題】  音漏れを軽減した携帯通信端末を提供する。【解決手段】  携帯電話機は、スピーカ１１，１２から音を出力する音声出力部５１と、マイクロフォン１３が集音した音声が入力される音声入力部５５と、マイクロフォン１３で集音した音とスピーカ１１，１２から出力した音とが類似しているか否かを判断する類似判断部５３と、類似判断部５３により類似していると判断された場合、スピーカ１１，１２から出力する音の音量を低減させる音量調整部５７とを備える。【選択図】        図３
2008072677.tif 000002
【特許請求の範囲】
【請求項１】
スピーカから音を出力する出力手段と、
音を集音するマイクロフォンと、
前記マイクロフォンで集音した音と前記スピーカから出力した音とが類似しているか否かを判断する類似判断手段と、
前記類似判断手段により類似していると判断された場合、前記スピーカから出力する音の音量を低減させる音量制御手段とを備えた、携帯通信端末。
【請求項２】
前記類似判断手段は、前記マイクロフォンで集音した音の所定周波数の音量と、前記スピーカから出力した音の所定周波数の音量とを、所定時間比較する比較手段を含む、請求項１に記載の携帯通信端端末。
【請求項３】
前記類似判断手段は、前記マイクロフォンで集音した所定の周波数帯の音量が第１のしきい値を超える場合に真を出力し、前記第１のしきい値以下の場合に偽を出力する第１判定手段と、
前記スピーカから出力した前記所定の周波数帯の音量が第２のしきい値を超える場合に真を出力し、前記第２のしきい値以下の場合に偽をする第２判定手段と、
前記第１判定手段の出力と第２判定手段の出力との排他的論理和を出力する排他的論理和算出手段と、
前記排他的論理和算出手段が所定時間当たりに真を出力する時間の割合が、所定の値以下ならば前記マイクロフォンで集音した音と前記スピーカから出力した音とが類似していると判断する期間類似判断手段とを含む、請求項１に記載の携帯通信端末。
【請求項４】
前記類似判断手段は、前記マイクロフォンで集音した音の音量と前記スピーカから出力した音の音量とを複数の周波数帯それぞれで判断する複数の周波数帯別比較手段と、
前記複数の周波数帯別比較手段による複数の比較結果に基づいて、前記マイクロフォンで集音した音と前記スピーカから出力した音とが全体として類似しているか否かを判断する全体判断手段と、を含む請求項１に記載の携帯通信端末。
【請求項５】
前記類似判断手段は、前記マイクロフォンで集音した音と前記スピーカから出力した音とが類似しているか否かを複数の周波数帯それぞれで判断する複数の周波数帯別比較手段と、
前記複数の周波数帯別比較手段のうちの所定数において前記マイクロフォンで集音した音と前記スピーカから出力した音とが類似していると判断された場合に、前記マイクロフォンで集音した音と前記スピーカから出力した音とが全体として類似していると判断する全体判断手段とを含み、
前記複数の周波数帯別比較手段それぞれは、前記マイクロフォンで集音した前記複数の周波数帯のうちの比較対象周波数帯の音量が第１のしきい値を超える場合に真を出力し、前記第１のしきい値以下の場合に偽を出力する第１判定手段と、
前記スピーカから出力した前記比較対象周波数帯の音量が第２のしきい値を超える場合に真を出力し、前記第２のしきい値以下の場合に偽を出力する第２判定手段と、
前記第１判定手段の出力と前記第２判定手段の出力との否定排他的論理和を出力する否定排他的論理和算出手段とを含み、
前記全体判断手段は、前記複数の周波数帯別比較手段それぞれの前記排他的論理和算出手段が真を出力する場合、前記比較対象周波数帯において前記マイクロフォンで集音した音と前記スピーカから出力した音とが類似していると判断する、請求項１に記載の携帯通信端末。
【請求項６】
前記類似判断手段は、前記マイクロフォンで集音した音および前記スピーカから出力した音それぞれの音量の周波数分布を比較する周波数分布比較手段を含む、請求項１に記載の携帯通信端末。
【発明の詳細な説明】
【技術分野】
【０００１】
この発明は、携帯通信端末に関し、特にスピーカから出力される音が漏れるのを防止した携帯通信端末に関する。
【背景技術】
【０００２】
携帯電話機は、通話の際に用いられるスピーカを備えている。携帯電話機で通話したり、ダウンロードした楽曲やラジオ音声などを聞いたりする場合に、このスピーカから音が出力される。また、通話の際に用いられるスピーカとは別に設けられたスピーカを備える携帯電話機があり、この別に設けられたスピーカから音を出力する場合もある。電車の車両内などの公共の場所でこの携帯電話機を用いて、通話したり、楽曲の再生またはラジオの音声を聞いたりする場合、耳にスピーカを押し当てれば耳とスピーカとの間から漏れる音量は小さくなり、周囲に音が聞こえないようにすることができる。音が漏れたとしても少量なので、周囲に与える影響が小さい。しかしながら、スピーカを耳から離して間隔が空くと、そこから漏れる音量が大きくなってしまう。一方、携帯電話機にイヤホンを接続すれば、スピーカに代えてそのイヤホンで音を聞くことができ、音漏れを防止することができるが、イヤホンを持ち歩かなければならず煩わしい。
【０００３】
さらに、特開平６−６１５６号公報（特許文献１）には、環境雑音のレベルに応じて音量を自動調整する技術が知られている。しかしながら、周囲の音に、スピーカから出力される音が含まれる場合があり、スピーカから出る音によって音量が自動調整されてしまうといった問題がある。
【特許文献１】特開平６−６１５６号公報
【発明の開示】
【発明が解決しようとする課題】
【０００４】
この発明は上述した問題点を解決するためになされたもので、この発明の目的の一つは、音漏れを軽減した携帯通信端末を提供することである。
【課題を解決するための手段】
【０００５】
上述した目的を達成するためにこの発明のある局面によれば、携帯通信端末は、スピーカから音を出力する出力手段と、音を集音するマイクロフォンと、マイクロフォンで集音した音とスピーカから出力した音とが類似しているか否かを判断する類似判断手段と、類似判断手段により類似していると判断された場合、スピーカから出力する音の音量を低減させる音量制御手段とを備える。
【０００６】
この局面に従えば、マイクロフォンで集音した音と、スピーカから出力した音が類似している場合、スピーカから出力する音の音量が低減される。スピーカから出力された音がマイクロフォンで集音されない間は音量が低減されないが、スピーカから出力された音がマイクロフォンで集音されると音量が低減される。このため、スピーカを耳に押し当てている間は、音が漏れないので所定の音量で音を聞くことができ、スピーカを耳から離すとスピーカから出力する音の音量を低減することができる。その結果、音漏れを軽減した携帯通信端末を提供することができる。
【０００７】
好ましくは、類似判断手段は、マイクロフォンで集音した音の所定周波数の音量と、スピーカから出力した音の所定周波数の音量とを、所定時間比較する比較手段を含む。
【０００８】
好ましくは、類似判断手段は、マイクロフォンで集音した所定の周波数帯の音量が第１のしきい値を超える場合に真を出力し、第２のしきい値以下の場合に偽を出力する第１判定手段と、スピーカから出力した所定の周波数帯の音量が第２のしきい値を超える場合に真を出力し、第２のしきい値以下の場合に偽をする第２判定手段と、第１判定手段の出力と第２判定手段の出力との排他的論理和を出力する排他的論理和算出手段と、排他的論理和算出手段が所定時間当たりに真を出力する時間の割合が、所定の値以下ならばマイクロフォンで集音した音とスピーカから出力した音とが類似していると判断する期間類似判断手段とを含む。
【０００９】
この局面に従えば、マイクロフォンで集音した所定の周波数帯の音量が第１のしきい値を超えるが、スピーカから出力した所定の周波数帯の音量が第２のしきい値を超えない時と、マイクロフォンで集音した所定の周波数帯の音量が第１のしきい値を超えないが、スピーカから出力した所定の周波数帯の音量が第２のしきい値を超える時との所定期間に占める割合が、所定の値以下ならば、２つの音が類似していると判断する。このため、２つの音の音量だけから類似しているか否かを判断するので、スピーカから出力された音がマイクロフォンで集音されたか否かを容易に判断することができる。
【００１０】
好ましくは、類似判断手段は、マイクロフォンで集音した音の音量とスピーカから出力した音の音量とを複数の周波数帯それぞれで判断する複数の周波数帯別比較手段と、複数の周波数帯別比較手段による複数の比較結果に基づいて、マイクロフォンで集音した音とスピーカから出力した音とが全体として類似しているか否かを判断する全体判断手段と、を含む。
【００１１】
好ましくは、類似判断手段は、マイクロフォンで集音した音とスピーカから出力した音とが類似しているか否かを複数の周波数帯それぞれで判断する複数の周波数帯別比較手段と、複数の周波数帯別比較手段のうちの所定数においてマイクロフォンで集音した音とスピーカから出力した音とが類似していると判断された場合に、マイクロフォンで集音した音とスピーカから出力した音とが全体として類似していると判断する全体判断手段とを含み、複数の周波数帯別比較手段それぞれは、マイクロフォンで集音した複数の周波数帯のうちの比較対象周波数帯の音量が第１のしきい値を超える場合に真を出力し、第１のしきい値以下の場合に偽を出力する第１判定手段と、スピーカから出力した比較対象周波数帯の音量が第２のしきい値を超える場合に真を出力し、第２のしきい値以下の場合に偽を出力する第２判定手段と、第１判定手段の出力と第２判定手段との否定排他的論理和を出力する否定排他的論理和算出手段とを含み、全体判断手段は、複数の周波数帯別比較手段それぞれの排他的論理和算出手段が真を出力する場合、比較対象周波数帯においてマイクロフォンで集音した音とスピーカから出力した音とが類似していると判断する。
【００１２】
この局面に従えば、マイクロフォンで集音した比較対象周波数帯の音量が第１のしきい値を超え、かつ、スピーカから出力した比較対象周波数帯の音量が第２のしきい値を超える場合、または、マイクロフォンで集音した比較対象周波数帯の音量が第１のしきい値を超えることなく、かつ、スピーカから出力した比較対象周波数帯の音量が第２のしきい値を超えない場合、比較対象周波数帯において２つの音が類似していると判断する。そして、２つの音が類似していると判断された比較対象周波数帯が所定数を超えると、２つの音が全体として類似していると判断する。このため、２つの音を比較する時点で、２つの音が類似していると判断することができる。
【００１３】
好ましくは、類似判断手段は、マイクロフォンで集音した音およびスピーカから出力した音それぞれの音量の周波数分布を比較する周波数分布比較手段を含む。
【００１４】
この発明に従えば、マイクロフォンで集音した音およびスピーカから出力した音それぞれの音量の周波数分布を比較するので、２つの音が類似しているか否かを正確に判断することができる。
【発明を実施するための最良の形態】
【００１５】
以下、本発明の実施の形態について図面を参照して説明する。以下の説明では同一の部品には同一の符号を付してある。それらの名称および機能も同じである。したがってそれらについての詳細な説明は繰返さない。
【００１６】
図１は、本発明の実施の形態の一つにおける携帯電話の外観を示す斜視図である。図１（Ａ）は、オープンスタイルの状態にある携帯電話の外観を示し、図１（Ｂ）はクローズスタイルの状態にある携帯電話の外観を示す。図１（Ａ）および図１（Ｂ）を参照して、携帯電話機１は、操作側部３と、表示側部２とを含む。操作側部３は、テンキーおよび通話キー等を含む操作キー１４と、マイクロフォン１３とが内側面に配置される。表示側部２は、液晶表示装置（ＬＣＤ）１５と、レシーバを構成する第１スピーカ１１と、カメラ２４とが内側面に配置され、第２スピーカ１２が外側面に配置される。なお、ここでは携帯電話機１がＬＣＤ１５を備える例を示すが、ＬＣＤ１５に代えて、有機ＥＬ（ＥｌｅｃｔｒｏＬｕｍｉｎｅｓｃｅｎｃｅ）ディスプレイを用いてもよい。操作側部３と表示側部２とは、ヒンジ機構で回転可能に連結され、操作側部３と表示側部２とは開閉自在である。携帯電話機１を折りたたんで、操作側部３と表示側部２とが閉状態にあるときの携帯電話機１の状態がクローズスタイルであり、携帯電話機１を開いて、操作側部３と表示側部２とが開状態にあるときの携帯電話機１の状態がオープンスタイルである。
【００１７】
本実施の形態における携帯電話機１は、オープンスタイルまたはクローズスタイルのいずれにおいても、通話または音楽の再生が可能である。オープンスタイルの場合、第１スピーカ１１から音を出力し、クローズスタイルの場合、第２スピーカ１２から音を出力する。なお、オープンスタイルの状態で、第２スピーカ１２から音を出力することも可能である。第１スピーカ１１および第２スピーカ１２の大きさは、それに耳を押し当てて携帯電話機１を使用する場合、音漏れがしないように調整される。
【００１８】
図２は、本実施の形態における携帯電話機の機能の一例を示す機能ブロック図である。図２を参照して、携帯電話機１は、携帯電話機１の全体を制御するための制御部２１と、アンテナ２２Ａと接続された無線回路２２と、音声データを符号化または復号するためのコーデック部２３と、音声データを処理し音量を制御するための音量制御部２８と、音量制御部２８の出力を第１スピーカ１１および第２スピーカ１２のいずれかに切換えるための切換部２９と、カメラ２４と、ユーザの操作の入力を受付ける操作部２５と、振動部２６と、ＬＣＤ１５の表示を制御するための表示制御部３０と、制御部２１で実行するプログラム等を記憶するためのフラッシュＲＯＭ（Ｒｅａｄ  Ｏｎｌｙ  Ｍｅｍｏｒｙ）３１と、制御部２１の作業領域として使用されるＲＡＭ（Ｒａｎｄｏｍ  Ａｃｃｅｓｓ  Ｍｅｍｏｒｙ）３２と、カードインターフェース（Ｉ／Ｆ）２７と、を含む。
【００１９】
無線回路２２は、制御部２１により制御され、無線基地局と通信する。具体的には、アンテナ２２Ａにより受信された無線信号が入力され、無線信号を復調した音声信号をコーデック部２３に出力する。また、無線回路２２は、コーデック部２３から音声信号が入力され、音声信号を変調した無線信号をアンテナ２２Ａに出力する。コーデック部２３は、無線回路２２から入力される音声信号を復号し、復号したデジタルの音声信号をアナログに変換し、音量制御部２８に出力する。また、コーデック部２３は、音量制御部２８からアナログの音声信号が入力され、音声信号をデジタルに変換し、符号化し、そして符号化した音声信号を無線回路２２に出力する。また、無線回路２２は、インターネットに接続されたコンピュータと通信可能である。
【００２０】
操作部２５は、操作キー１４を含む。操作キー１４は、ユーザによる操作の入力を受け付け、受け付けた操作を制御部２１に出力する。
【００２１】
制御部２１は、無線回路２２を介してインターネットに接続されたコンピュータからプログラムまたは音楽データをダウンロードすることが可能であり、ダウンロードしたプログラムまたは音楽データを、フラッシュＲＯＭ３１に記憶する。また、制御部２１は、音楽データを再生するプログラムをフラッシュＲＯＭ３１から読み出し、実行することにより、音楽データを再生し、音声信号を音量制御部２８に出力する。
【００２２】
音量制御部２８は、マイクロフォン１３と接続され、マイクロフォン１３が集音して出力するアナログの音声信号が入力される。音量制御部２８は、制御部２１が音楽データを再生する場合、制御部２１から音声信号が入力され，制御部２１から入力される音声信号を、切換部２９に出力する。また、音量制御部２８は、携帯電話機１が通話状態にあるとき、コーデック部２３から音声データが入力され，制御部２１から入力される音楽データを、切換部２９に出力し、マイクロフォン１３から入力される音声信号をコーデック部２３に出力する。
【００２３】
切換部２９は、制御部２１により制御され、音量制御部２８から入力される音声信号を第１スピーカ１１および第２スピーカ１２のいずれかに出力する。制御部２１が音楽データを再生している場合、制御部２１は、ユーザにより操作部２５の操作キー１４に入力される切換指示に従って、切換部２９を第１スピーカ１１または第２スピーカ１２のいずれかに切り換える。また、携帯電話機１が通話状態にあるとき、音量制御部２８には、コーデック部２３から音声信号が入力される。携帯電話機１が通話状態にあり、かつ、ハンズフリーモードであれば、切換部２９は、音量制御部２８から受け付けた音声信号を第２スピーカ１２に出力し、携帯電話機１がハンズフリーモードでなければ、音量制御部２８から受け付けた音声信号を第１スピーカ１１に出力する。ユーザにより操作部２５の操作キー１４に入力されるハンズフリーモードの設定指示に従って、携帯電話機１がハンズフリーモードに設定される。また、携帯電話機１がオープンスタイルで通話状態のときハンズフリーモードに設定されていなくても、携帯電話機１の状態がクローズスタイルに変化すると、制御部２１は、ハンズフリーモードに設定する。このため、切換部２９は、携帯電話機１がオープンスタイルで通話状態のときハンズフリーモードに設定されていなければ、音量制御部２８から受け付けた音声信号を第１スピーカ１１に出力するが、携帯電話機１の状態がクローズスタイルに変化すると音量制御部２８から受け付けた音声信号を第２スピーカ１２に出力する。
【００２４】
音量制御部２８は、切換部２９を介して第１スピーカ１１および第２スピーカ１２のいずれかと接続され、第１スピーカ１１または第２スピーカ１２に出力する音声信号の音量を制御する。音量制御部２８は、ユーザにより操作部２５の操作キー１４に入力される音量設定に従って定まる音量の音声信号を、切換部２９を介して第１スピーカ１１または第２スピーカ１２に出力するが、音量制御部２８が切換部２９に出力する音声信号の音量と、マイクロフォン１３から入力される音声信号の音量とに基づいて、音量制御部２８が切換部２９に出力する音声信号の音量を制御する。これについては、後で詳細に説明する。
【００２５】
表示制御部３０は、制御部２１により制御され、制御部２１から入力される指示に従ってＬＣＤ１６を制御して、ＬＣＤ１６に画像を表示させる。ＬＣＤ１６に表示させる画像は、動画像と静止画像とを含む。
【００２６】
カードＩ／Ｆ２７には、着脱可能なフラッシュメモリ２７Ａが装着される。制御部２１は、カードＩ／Ｆ２７を介して、フラッシュメモリ２７Ａにアクセスが可能である。なお、ここでは制御部２１で実行するための音漏防止プログラムをフラッシュＲＯＭ３１に記憶しておく例を説明するが、音漏防止プログラムをフラッシュメモリ２７Ａに記憶しておき、フラッシュメモリ２７Ａから音漏防止プログラムを読み出して、制御部２１で実行するようにしてもよい。音漏防止プログラムを記憶する記録媒体としては、フラッシュメモリ２７Ａに限らず、フレキシブルディスク、カセットテープ、光ディスク（ＣＤ−ＲＯＭ（Ｃｏｍｐａｃｔ  Ｄｉｓｃ−ＲＯＭ）／ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード、光カード、マスクＲＯＭ、ＥＰＲＯＭ、ＥＥＰＲＯＭなどの半導体メモリ等でもよい。また、制御部２１が、無線回路２２を介してインターネットに接続されたコンピュータから音漏防止プログラムをダウンロードし、その音漏防止プログラムを実行するようにしてもよい。ここでいうプログラムは、制御部２１により直接実行可能なプログラムだけでなく、ソースプログラム、圧縮処理されたプログラム、暗号化されたプログラム等を含む。
【００２７】
カメラ２４は、レンズおよびＣＭＯＳ(Ｃｏｍｐｌｅｍｅｎｔａｒｙ  Ｍｅｔａｌ  Ｏｘｉｄｅ  Ｓｅｍｉｃｏｎｄｕｃｔｏｒ）センサ等の光電変換素子を備え、レンズで集光した光をＣＭＯＳセンサに結像し、ＣＭＯＳセンサは受光した光を光電変換して画像データを制御部２１に出力する。カメラ２４は、制御部２１により制御され、制御部２１からの指示により撮像を開始して、得られる静止画データまたは動画データを制御部２１に出力する。制御部２１は、カメラ２４が出力する静止画データまたは動画データを表示制御部３０に出力し、ＬＣＤ１６に表示させる、または、圧縮符号化方式で静止画データまたは動画データを符号化して、フラッシュＲＯＭ３１またはカードＩ／Ｆ２７に装着されたフラッシュメモリ２７Ａに記憶する。
【００２８】
図３は、音量制御部の機能の概要を示す機能ブロック図である。図３を参照して、音量制御部２８は、コーデック部２３または制御部２１と接続された音声出力部５１と、マイクロフォン１３と接続された音声入力部５５と、類似判断部５３と、音声出力部５１および切換部２９と接続された音量調整部５７とを含む。
【００２９】
音声出力部５１は、コーデック部２３または制御部２１から音声信号が入力され、入力された音声信号を増幅して音量調整部５７および類似判断部５３に出力する。音声出力部５１は、制御部２１からの指示に従って、ユーザにより設定された音量に音声信号を増幅する。音声入力部５５は、マイクロフォン１３から音声信号が入力され、マイクロフォン１３から入力された音声信号を類似判断部５３に出力する。なお、携帯電話機１が通話状態にあるとき、音声入力部５５は、マイクロフォン１３から入力された音声信号をコーデック部２３にも出力する。
【００３０】
類似判断部５３は、音声出力部５１から入力される音声信号と音声入力部５５から入力される音声信号とが類似するか否かを判断する。類似判断部５３は、音声出力部５１から入力される音声信号と音声入力部５５から入力される音声信号とが類似すると判断した場合、音量調整部５７に音量を減少させるための制御信号を出力する。
【００３１】
音量調整部５７は、切換部２９を介して第１スピーカ１１または第２スピーカ１２と接続され、音声出力部５１から入力される音声信号の音量を調整する。音量調整部５７は、類似判断部５３から制御信号が入力される前の段階では、音声出力部５１から入力される音声信号を第１スピーカ１１または第２スピーカ１２に出力する。その後、音量調整部５７は、類似判断部５３から音量を減少させるための制御信号が入力されると、切換部２９を介して第１スピーカ１１または第２スピーカ１２に出力する音声信号の音量を減少させる。音量調整部５７は、制御信号が入力されると、音声出力部５１から入力される音声信号の音量を予め定められた音量に下げて、切換部２９を介して第１スピーカ１１または第２スピーカ１２に出力する。また、複数の音量レベルを予め設定しておき、制御信号が入力されるごとに、１段階ずつ音量レベルを下げるようにしてもよい。
【００３２】
図４は、類似判断部の詳細な機能を示す機能ブロック図である。類似判断部５３は、音声出力部５１から音声信号が入力される第１判定部６１と、音声入力部５５から音声信号が入力される第２判定部６２と、第１判定部６１の出力と第２判定部６２の出力との排他的論理和を演算する排他的論理和演算部６３と、排他的論理和演算部６３の出力に基づいて音声出力部５１から入力される音声信号と音声入力部５５から入力される音声信号とが類似しているか否かを判断する期間類似判断部６４とを含む。
【００３３】
第１判定部６１は、音声出力部５１から音声信号が入力される。換言すれば、スピーカ１１またはスピーカ１２から出力するための音声信号が入力される。第１判定部６１は、音声出力部５１から入力される音声信号の所定の周波数帯の音量を、予め定めた第１しきい値と比較し、音量が第１しきい値を超えるならば真「１」となり、音量が第１しきい値を超えなければ偽「０」となる第１論理信号を排他的論理和演算部６３に出力する。所定の周波数帯は、音声入力部５５から入力される音声信号の周波数分布でピーク値となる周波数成分とすればよい。
【００３４】
第２判定部６２は、音声入力部５５から音声信号が入力される。換言すれば、マイクロフォン１３が集音して出力する音声信号が入力される。第２判定部６２は、音声入力部５５から入力される音声信号の所定の周波数帯の音量を、予め定めた第２しきい値と比較し、音量が第２しきい値を超えるならば真「１」となり、音量が第２しきい値を超えなければ偽「０」となる第２論理信号を排他的論理和演算部６３に出力する。第２判定部６２が処理対象とする音声信号の所定の周波数帯は、第１判定部６２が処理対象とした周波数帯と同じである。
【００３５】
排他的論理和演算部６３は、第１判定部６１から入力される第１論理信号と第２判定部６２から入力される第２論理信号との排他的論理和を演算し、論理信号を期間類似判断部６４に出力する。
【００３６】
期間類似判断部６４は、排他的論理和演算部６３が出力する論理信号を所定期間記憶し、所定期間において排他的論理和の論理信号が真「１」となる期間の割合を求める。期間類似判断部６４は、所定期間において排他的論理和の論理信号が真「１」となる期間の割合が、予め定めた所定の値以下ならば、音量を減少させるための制御信号を出力する。排他的論理和が真「１」の場合、スピーカ１１またはスピーカ１２から出力するための音声信号と、マイクロフォン１３が集音して出力する音声信号とが、所定の周波数で異なる確率が高い。換言すれば、スピーカ１１またはスピーカ１２から出力された音声が、マイクロフォン１３で集音されていない確率が高い。このため、期間類似判断部６４は、所定期間において、２つの音声信号が異なる期間の割合（排他的論理和の論理信号が真「１」となる期間の割合）が所定の値よりも小さくなれば、スピーカ１１またはスピーカ１２から出力された音声が、マイクロフォン１３で集音していると判断し、音量を減少させるための制御信号を出力する。
【００３７】
図５（Ａ）は、第１判定部が出力する論理信号の一例を示す第１の図である。図５（Ｂ）は、第２判定部が出力する論理信号の一例を示す第１の図である。ここでは、マイクロフォン１３がスピーカ１１またはスピーカ１２から出力された音を集音しない場合における例を示している。図５（Ｃ）は、排他的論理和演算部が出力する論理信号の一例を示す第１の図である。期間Ｔにおいて、排他的論理和演算部６３が出力する論理信号が真「１」となる期間の割合は、約７０％となっている。
【００３８】
図６（Ａ）は、第１判定部が出力する論理信号の一例を示す第２の図である。図６（Ａ）に示す論理信号は、図５（Ａ）に示す論理信号と同じである。図６（Ｂ）は、第２判定部が出力する論理信号の一例を示す第２の図である。ここでは、マイクロフォン１３がスピーカ１１またはスピーカ１２から出力された音を集音する場合における例を示している。図５（Ｃ）は、排他的論理和演算部が出力する論理信号の一例を示す第２の図である。期間Ｔにおいて、排他的論理和演算部６３が出力する論理信号が真「１」となる期間の割合は、約２０％となっている。
【００３９】
このように、排他的論理和演算部６３が出力する論理信号が真「１」となる期間の割合は、マイクロフォン１３がスピーカ１１またはスピーカ１２から出力された音を集音しない場合と、集音する場合とで、大きな違いがある。この違いを検出することにより、マイクロフォン１３がスピーカ１１またはスピーカ１２から出力された音を集音しているか否かを判断することができる。
【００４０】
以上説明したように、本実施の形態における携帯電話機１は、マイクロフォン１３が、スピーカ１１またはスピーカ１２から出力された音を集音していると判断すると、スピーカ１１またはスピーカ１２から出力する音量を低下させるので、音漏れを防止することができる。
【００４１】
＜類似判断部の第１の変形例＞
第１の変形例における類似判断部５３Ａは、第１〜第Ｎ（Ｎは２以上の整数）のＮ個の周波数帯それぞれにおいて、スピーカ１１またはスピーカ１２から出力するための音声信号と、マイクロフォン１３が集音して出力する音声信号とが類似しているか否かを判断する。
【００４２】
図７は、第１の変形例における類似判断部の詳細な機能を示す機能ブロック部である。図７を参照して、第１の変形例における類似判断部５３Ａは、第１周波数帯で２つの音声信号を比較するための第１周波数帯比較部７１−１と、第２周波数帯で２つの音声信号を比較するための第２周波数帯比較部７１−２と、…、第Ｎ周波数帯で２つの音声信号を比較するための第２周波数帯比較部７１−Ｎと、全体類似判断部７２とを含む。
【００４３】
第１〜第Ｎ周波数帯比較部７１−１〜７１−Ｎは、処理対象とする周波数帯が異なるのみで、その機能は同じなので、ここでは、第１周波数帯比較部７１−１を例に説明する。図８は、第１周波数帯比較部の機能を示す機能ブロック部である。図８を参照して、第１周波数帯比較部７１−１は、音声出力部５１から音声信号が入力される第１周波数帯別判定部６１Ａと、音声入力部５５から音声信号が入力される第２周波数帯別判定部６２Ａと、第１周波数帯別判定部６１Ａの出力と第２周波数帯別判定部６２Ａの出力との否定排他的論理和を演算する否定排他的論理和演算部８１と、を含む。
【００４４】
第１周波数帯別判定部６１Ａは、音声出力部５１から音声信号が入力される。換言すれば、スピーカ１１またはスピーカ１２から出力するための音声信号が入力される。第１周波数帯別判定部６１Ａは、音声出力部５１から入力される音声信号の第１周波数帯の音量を、予め定めた第１しきい値と比較し、音量が第１しきい値を超えるならば真「１」となり、音量が第１しきい値を超えなければ偽「０」となる論理信号を否定排他的論理和演算部８１に出力する。
【００４５】
第２周波数帯別判定部６２Ａは、音声入力部５５から音声信号が入力される。換言すれば、マイクロフォン１３が集音して出力する音声信号が入力される。第２周波数帯別判定部６２Ａは、音声入力部５５から入力される音声信号の第１周波数帯の音量を、予め定めた第２しきい値と比較し、音量が第２しきい値を超えるならば真「１」となり、音量が第２しきい値を超えなければ偽「０」となる論理信号を排他的論理和演算部６３に出力する。
【００４６】
否定排他的論理和演算部８１は、第１周波数帯別判定部６１Ａから入力される論理信号と第２周波数帯別判定部６２Ａから入力される論理信号との否定排他的論理和を演算し、論理信号を全体類似判断部７２に出力する。
【００４７】
否定排他的論理和演算部８１が出力する論理信号が真「１」となる場合、スピーカ１１またはスピーカ１２から出力するための音声信号と、マイクロフォン１３が集音して出力する音声信号との間で、第１周波数帯において類似している確率が高い。
【００４８】
図７に戻って、全体類似判断部７２は、第１〜第Ｎ周波数帯比較部７１−１〜７１−Ｎそれぞれの否定排他的論理和演算部８１から論理信号が入力される。全体類似判断部７２は、第１〜第Ｎ周波数帯比較部７１−１〜７１−Ｎの所定数から論理信号が「１」が入力される場合、スピーカ１１またはスピーカ１２から出力するための音声信号と、マイクロフォン１３が集音して出力する音声信号とが類似していると判断し、音量を減少させるための制御信号を音量調整部５７に出力する。
【００４９】
上述した類似判断部５３に比較して、複数の周波数帯においてスピーカ１１またはスピーカ１２から出力するための音声信号と、マイクロフォン１３が集音して出力する音声信号とが類似しているか否かを判断するので、より正確に判断することができる。
【００５０】
＜類似判断部の第２の変形例＞
図９は、第２の変形例における類似判断部５３の機能の概要を示す機能ブロック図である。第２の変形例における類似判断部５３Ｂは、図７に示した第１の変形例における類似判断部５３Ａにおいて、第１〜第Ｎ周波数帯比較部７１−１〜７１−Ｎを変形したものである。図９を参照して、第２の変形例における類似判断部５３Ｂは、第１周波数帯で２つの音声信号を比較するための第１周波数帯比較部７１Ａ−１と、第２周波数帯で２つの音声信号を比較するための第２周波数帯比較部７１Ａ−２と、…、第Ｎ周波数帯で２つの音声信号を比較するための第２周波数帯比較部７１Ａ−Ｎと、全体類似判断部７２Ａとを含む。
【００５１】
第１〜第Ｎ周波数帯比較部７１Ａ−１〜７１Ａ−Ｎは、処理対象とする周波数帯が異なるのみで、その機能は同じなので、ここでは、第１周波数帯比較部７１Ａ−１を例に説明する。図１０は、第２の変形例における第１周波数帯比較部の機能を示す機能ブロック部である。図１０を参照して、第２の変形例における第１周波数帯比較部７１Ａ−１は、音声出力部５１から音声信号が入力される第１周波数帯別判定部６１Ａと、音声入力部５５から音声信号が入力される第２周波数帯別判定部６２Ａと、第１周波数帯別判定部６１Ａの出力と第２周波数帯別判定部６２Ａの出力との排他的論理和を演算する排他的論理和演算部６３と、期間類似判断部６４Ａと、を含む。
【００５２】
期間類似判断部６４Ａは、排他的論理和演算部６３が出力する論理信号を所定期間記憶し、所定期間において排他的論理和の論理信号が真「１」となる期間の割合を求める。期間類似判断部６４Ａは、所定期間において排他的論理和の論理信号が真「１」となる期間の割合が、予め定めた所定の値以下ならば真「１」を出力し、そうでなければ偽「０」を出力する。排他的論理和が真「１」の場合、スピーカ１１またはスピーカ１２から出力するための音声信号と、マイクロフォン１３が集音して出力する音声信号とが第１周波数帯において異なる可能性が高い。このため、期間類似判断部６４Ａが真「１」を出力する場合は、スピーカ１１またはスピーカ１２から出力するための音声信号と、マイクロフォン１３が集音して出力する音声信号とが、第１周波数帯において類似していることを示す。
【００５３】
全体類似判断部７２Ａは、第１〜第Ｎ周波数帯比較部７１Ａ−１〜７１Ａ−Ｎそれぞれの期間類似判断部６４Ａから論理信号が入力される。全体類似判断部７２Ａは、第１〜第Ｎ周波数帯比較部７１Ａ−１〜７１Ａ−Ｎの所定数から論理信号が「１」が入力される場合、換言すれば、第１〜第Ｎ周波数帯比較部７１Ａ−１〜７１−Ａ−Ｎのうちの論理信号が「１」を出力するものが所定の割合である場合、スピーカ１１またはスピーカ１２から出力するための音声信号と、マイクロフォン１３が集音して出力する音声信号とが類似していると判断し、音量を減少させるための制御信号を音量調整部５７に出力する。
【００５４】
上述した第１の変形例における類似判断部５３Ａに比較して、音量の時間的な変化が判断されるので、スピーカ１１またはスピーカ１２から出力するための音声信号と、マイクロフォン１３が集音して出力する音声信号とが類似しているか否かをより正確に判断することができる。
【００５５】
＜類似判断部の第３の変形例＞
第３の変形例における類似判断部５３Ｃは、スピーカ１１またはスピーカ１２から出力するための音声信号の周波数分布と、マイクロフォン１３が集音して出力する音声信号の周波数分布とを比較し、両者が類似するか否かを判断し、両者が類似すれば音量を減少させるための制御信号を音量調整部５７に出力する。類似するか否かの判断は、例えば、スピーカ１１またはスピーカ１２から出力するための音声信号に対して基準となる音量を定めておき、スピーカ１１またはスピーカ１２から出力するための音声信号の複数の周波数毎の音量の基準となる音量に対する比率を算出しておく。次に、マイクロフォン１３が集音して出力する音声信号に対して基準となる音量を定めておき、マイクロフォン１３が集音して出力する音声信号の複数の周波数毎の音量の基準となる音量に対する比率を算出する。そして、両音声信号間で、複数の周波数毎に基準となる音量からの比率が近似しているか否かを判断する。複数の周波数のうち所定の割合の周波数で、比率が近似していれば、両者が類似していると判断する。
【００５６】
なお、上述した実施の形態においては、携帯通信端末の一例として携帯電話機１を説明したが、携帯電話機１の制御部２１に図３、図４、図７〜図１０に示した機能を実行させるための音漏防止方法または音漏防止プログラムとして発明を捉えることができるのは、言うまでもない。
【００５７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００５８】
＜付記＞
（１）  前記判断手段は、前記マイクロフォンで集音した音と前記スピーカから出力した音とが類似しているか否かを複数の周波数帯それぞれで判断する複数の周波数帯別比較手段と、
前記複数の周波数帯別比較手段のうちの所定数において前記マイクロフォンで集音した音と前記スピーカから出力した音とが類似していると判断された場合に、前記マイクロフォンで集音した音と前記スピーカから出力した音とが全体として類似していると判断する全体判断手段とを含み、
前記複数の周波数帯別比較手段それぞれは、前記マイクロフォンで集音した所定の周波数帯の音量が第１のしきい値を超える場合に真を出力する第１判定手段と、
前記スピーカから出力した前記所定の周波数帯の音量が第２のしきい値を超える場合に真を出力する第２判定手段と、
前記第１判定手段の出力と第２判定手段の出力との排他的論理和を出力する排他的論理和算出手段と、
前記排他的論理和算出手段が所定時間当たりに真を出力する時間の割合が、所定の値以下ならば前記マイクロフォンで集音した音と前記スピーカから出力した音とが類似していると判断する期間類似判断手段とを含む、請求項１に記載の携帯通信端末。
（２）  携帯通信端末で実行される音漏防止方法であって、
前記マイクロフォンで集音した音と、前記スピーカから出力した音が類似しているか否かを判断するステップと、
前記判断ステップにより類似していると判断された場合、前記スピーカから出力する音の音量を低減させるステップと、を携帯通信端末に実行させる音漏防止方法。
（３）  携帯通信端末で実行される音漏防止プログラムであって、
前記マイクロフォンで集音した音と、前記スピーカから出力した音が類似しているか否かを判断するステップと、
前記判断ステップにより類似していると判断された場合、前記スピーカから出力する音の音量を低減させるステップと、を携帯通信端末に実行させる音漏防止プログラム。
【図面の簡単な説明】
【００５９】
【図１】本発明の実施の形態の一つにおける携帯電話機の外観を示す斜視図である。
【図２】本実施の形態における携帯電話機の機能の一例を示す機能ブロック図である。
【図３】音量制御部の機能の概要を示す機能ブロック図である。
【図４】類似判断部の詳細な機能を示す機能ブロック図である。
【図５】（Ａ）は第１判定部が出力する論理信号の一例を示す第１の図であり、（Ｂ）は第２判定部が出力する論理信号の一例を示す第１の図であり、（Ｃ）は排他的論理和演算部が出力する論理信号の一例を示す第１の図である。
【図６】（Ａ）は第１判定部が出力する論理信号の一例を示す第２の図であり、（Ｂ）は第２判定部が出力する論理信号の一例を示す第２の図であり、（Ｃ）は排他的論理和演算部が出力する論理信号の一例を示す第２の図である。
【図７】第１の変形例における類似判断部の詳細な機能を示す機能ブロック部である。
【図８】第１周波数帯比較部の機能を示す機能ブロック部である。
【図９】第２の変形例における類似判断部５３の機能の概要を示す機能ブロック図である。
【図１０】第２の変形例における第１周波数帯比較部の機能を示す機能ブロック部である。
【符号の説明】
【００６０】
１  携帯電話機、２  表示側部、３  操作側部、１１  第１スピーカ、１２  第２スピーカ、１３  マイクロフォン、１４  操作キー、２１  制御部、２２  無線回路、２２Ａ  アンテナ、２３  コーデック部、２４  カメラ、２５  操作部、２６  振動部、２７  カードＩ／Ｆ、２７Ａ  フラッシュメモリ、２８  音量制御部、２９  切換部、３０  表示制御部、３１  フラッシュＲＯＭ、３２  ＲＡＭ、５１  音声出力部、５３，５３Ａ  類似判断部、５５  音声入力部、５７  音量調整部、６１，６１Ａ  第１判定部、６２，６２Ａ  第２判定部、６３  排他的論理和演算部、６４  期間類似判断部、７１  周波数帯比較部、７２  全体類似判断部、８１  否定排他的論理和演算部。
【図１】
2008072677.tif 000003
【図２】
2008072677.tif 000004
【図３】
2008072677.tif 000005
【図４】
2008072677.tif 000006
【図５】
2008072677.tif 000007
【図６】
2008072677.tif 000008
【図７】
2008072677.tif 000009
【図８】
2008072677.tif 000010
【図９】
2008072677.tif 000011
【図１０】
2008072677.tif 000012